(57)【要約】【課題】足裏に対して多様な刺激が作用することを可能にし、且つ、確実にツボを刺激して履き心地を高めることのできる履き物を提供する。【解決手段】履き物の足裏に接する足裏支持面において、足裏のツボに対応する位置に複数の球体を設け、該球体はツボに対応する位置に設けた球体受部によって回転自在に支持され、球体の上部が履き物の足裏支持面から突出するようにして足裏を刺激するようにし、球体としては金属、ガラス、合成樹脂を用いた履き物である。【特許請求の範囲】
【請求項１】
履き物の足裏に接する足裏支持面において、足裏のツボに対応する位置に複数の球体を設け、該球体はツボに対応する位置に設けた球体受部によって回転自在に支持され、球体の上部が履き物の足裏支持面から突出するようにして足裏を刺激することを特徴とする履き物。
【請求項２】
請求項１に記載の履き物において、少なくとも球体の表面を銅製としたことを特徴とする履き物。
【発明の詳細な説明】
【０００１】
【発明の属する技術分野】
本発明は、履き物、特に靴の足裏に接する中敷き、中敷き以外の靴の足裏の支持面（内底）、および、サンダルの足裏の支持面などにおいて、足裏を刺激する履き物の技術分野に属する。
【０００２】
【従来の技術】
従来より、健康は「足のウラ」からと云われるように、足裏は人間にとって大切な部位であり、体の老廃物が溜まりやすい部位でもあるが、このため健康サンダルと称せられるサンダルや靴が提供されている。これらいわゆる健康サンダルと称せられるサンダルや靴の中敷では、例えば、実公平５−１５２０４号公報に示されるように足裏が当たる部分に複数の突起を形成したものや、実開平６−８６５１９号公報に示されるように球体を埋め込んだものや、実開平１１−１１３６０６号公報に示されるように球体を袋状の収納室に収納して移動可能にしたものが知られており、このようなものでは突起や球体が足裏を刺激するので、疲労などが取り除かれることが知られている。
なお、履き物ではないが、足裏に回動可能な球体を当てるマッサージ器は実公平２−１５４８７号公報として知られている
【０００３】
【発明が解決しようとする課題】
しかしながら、従来のような実公平５−１５２０４号公報や実開平６−８６５１９号公報のものは突起や球体を固定して設けられており、足裏の同じ箇所を上下方向に刺激するだけなので、刺激が単純で使用しているうちに足裏の特定の箇所が痛くなったり、固定配列であるため刺激が強すぎたり弱すぎたりするとかえって不快感があるといった問題点があった。
また、実開平１１−１１３６０６号公報のものは、足裏を刺激する部分を移動可能にすることにより履き心地を高めてはいるが、ツボをずれると効果が薄れるという問題点があった。
なお、実公平２−１５４８７号公報に提示される足裏マッサージ器は、日常使用するには不便であり、履き物と異なりいつでも気楽に使用できるものではない。
本発明は、上記の問題点に鑑みてなされたもので、その課題は、足裏に対して多様な刺激が作用することを可能にし、且つ、確実にツボを刺激して履き心地を高めることのできる履き物を提供することにある。
【０００４】
【課題を解決するための手段】
上記の課題を解決するために、請求項１の本発明は、履き物の足裏に接する足裏支持面において、足裏のツボに対応する位置に複数の球体を設け、該球体はツボに対応する位置に設けた球体受部によって回転自在に支持され、球体の上部が履き物の足裏支持面から突出するようにして足裏を刺激することを特徴とする履き物である。
請求項２の発明は、請求項１に記載の履き物において、少なくとも球体の表面を銅製としたことを特徴とする履き物である。
その作用は、球体が回転することにより、足裏に対して上下方向の単純な刺激ではなく、前後左右の刺激が与えられる。
【０００５】
【発明の実施の形態】
［実施例１］
ここで、本発明の足裏支持面として、靴Ａの中敷に適用した好適な第１の実施例を、図１〜図３に沿って説明する。
図１は中敷の平面図、図２は図１の（２）−（２）線での断面図であるが、中敷１は靴の内部で足裏が直接接する部分である。図１において、中敷１は、球体２を嵌め込む厚手の中敷本体１１と、球体２がこぼれ出すのを防ぎ防臭処理および防菌処理されたやや薄手の中敷上層１２と、中敷本体１１の下面には強度の大きな中敷下層１３とから構成されている。
本実施例の中敷１は、図１に示す足裏のツボに対応する箇所ａ１〜ｉ１にそれぞれ自在に回転する球体２が設けられるが、ちなみに、ツボａ１は記憶回復、ｂ１，ｄ１は肩こり、ｃ１は気管支炎、ｅ１は心筋梗塞、狭心症、ｆ１，ｈ１は疲れ、ｇ１は低血圧、ｉ１は不眠症に効用のある足裏のツボと云われている。
この回転する複数の球体２は銅製の直径８〜１５ｍｍ程度の断面ほぼ真円の球体であり、図２に示されるように、この球体２は、中敷本体１１にほぼ半円球状の凹部１４が設けられ、この凹部には球体２を支持する球体受部３が嵌合固定され、この球体受部３に回転自在に支持されている。
なお、中敷本体１１に球体２や球体受部３にしっかり収まるのであれば、必ずしも中敷上層１２は必要ではない。
【０００６】
球体２の支持は球体受部３によって行われるが、この詳細を図３の拡大図に示して説明する。
まず、中敷本体１１の足裏のツボに対応する箇所ａ〜ｉのそれぞに、球体２の断面直径よりは３〜５ｍｍ程度大きく、断面円でほぼ２３０°程度のほぼ半円球状或いは壺状の凹部１４を設け、この凹部１４には球体受部３を嵌合固定する。
第１の本実施例では、この球体受部３の内側は合成樹脂製で、半円球状のボウル状基盤３１に人工芝のように無数の突起３２が設けられ、この突起３２が点接触のため滑り易いような構成になっている。勿論、合成樹脂の材質自体も、より滑り易い材質のものを選べばよいが、適度の摩擦抵抗を有して球体２が回動するほうが履き心地がよい。
この球体受部３に球体２を嵌め込むが、球体受部３は足裏支持面の中敷１から球体２の上部分がわずかに突出するように、かつ、球体２を回転自在に支持する。勿論、中敷１から球体２の突出部分を多くして刺激を大きくしてもよく、履き心地と刺激のバランスは必要に応じて適宜変更すればよい。
実際の靴は、このような構成の中敷を靴の内部に敷くが、本実施例の中敷きを用いた靴は、下から足裏のツボを部分的圧迫し、且つ、足裏の球体２が足を多少動かすだけで前後左右に転動することにより、足裏に対して上下方向の単純な刺激ではなく多様な刺激が与えられ、且つ確実にツボを刺激して、健康的で極めて履き心地が良い履き物となる。
【０００７】
また、球体２の材質は本実施例では金属での銅製としたが、銅には抗菌作用がありツボを刺激する他に衛生的にも有利であるからである。勿論、球体２の材質は足裏に刺激を与えるような堅い物質であればよい。球体２の全部を銅製とすると重くなり履き物として適さなくなる場合は、アクリル樹脂等の合成樹脂の表面を厚目に銅メッキを施して球体自体を軽くしてもよい。また、単に、アクリル樹脂製の球体自体でもよく、この場合は、多様な色彩を施すことができデザイン的に有利である。なお、球体２の素材としてアクリル樹脂を使用としたが、他の合成樹脂でもよく適宜必要に応じて選択して使用すればよい。
同様に、銀製でもよく、銀が高価であることから銀メッキした球体でもよく、これらの場合には更に抗菌作用がある。
また、従来のようなガラス玉を用いてもよく、この場合はひんやりとした感触がえられる。
さらに、球体２の材質を、血行を良くする為に磁力を有する磁性体を使用してもよく、この場合には磁性球体２の回転をスムーズにするために表面を摩擦係数の小さな材料でコーティングしてもよい。
【０００８】
［実施例２］
本発明を、靴の中敷に適用した好適な第２の実施例を図４に沿って説明するが、第２の実施例は、球体２の支持部を除いて第１の実施例と同じであるので支持部以外の説明は省略する。
第２の実施例は、球体２はガラス製とし、球体受部４は凹凸が大きいステンレスの網４１にしたものである。
この実施例では、ガラス玉の球体２とステンレス網４１との摩擦抵抗が小さいので、球体２の回転がスムースであるが、ステンレス網が万が一破損した場合でも、その端が中敷（１）１１の外に飛び出さないように上部には金属製のワッシャー４２を設けており、凹部１４には球体受部３を嵌合固定する。
勿論、この球体２も破損しない金属製のものを用いてもよく、網４としてステンレス以外の金属や抗菌セラミックを用いてもよい。
第２の実施例では球体２の回転がよりスムースであり、これ以外の作用は第１の実施例と同じであるが、履き心地に個人差があり球体の回転を好む人にとっては好適である。
【０００９】
［実施例３］
本発明に靴の中敷に適用した好適な第３の実施例を図５に沿って説明するが、第３の実施例も、球体２の支持部を除いて第１の実施例と同じであるので支持部以外の説明は省略する。
第３の実施例は、球体２はアクリル製とし、球体受部５は内面に多数の凹凸部５１を設けたもので、球体受部５の形状はステンレス製の半球状にプレス加工したものであり、端部には平坦あるは折返しの縁部５２を設けて、鋭い端部が足裏に直接当たって怪我等がないようにしている。なお、凹凸部５１の形状や配置や数は、必要とする摩擦度合いにおうじて適宜かえればよい。
この実施例では、球体受部５はプレス加工で簡単に制作でき、中敷きの凹部１４に球体受部５を嵌合固定するのが、より簡単になる。
【００１０】
［実施例４］
第４の実施例の中敷１は、図６に示す足裏のツボに対応する箇所ａ２，ｂ２，ｃ２，ｅ２，ｆ２，ｇ２，ｈ２，ｉ２にそれぞれ自在に回転する球体２が設けられているが、爪先近傍のａ２，ｂ２，ｃ２の箇所は比較的小さな直径８ｍｍ程度の回転球体２で回転摩擦が比較的大きな球体受部３（４，５）を設け、且つ、土踏まず部分（図中の点線内）のｆ２，ｇ２，ｈ２および踵部分のｉ２は比較的大きな直径１５ｍｍ程度の回転球体２で回転摩擦が比較的小さな球体受部３（４，５）を設け、ｅ２の部分には中程度の直径１０ｍｍ程度の回転球体２で回転摩擦も中程度の球体受部３（４，５）を設けたものである。
これは、爪先近傍が回転しやすい球体２であると、履き心地が悪いのと、逆に、土踏まずの部分（点線部分）は刺激は大きいほうが履き心地が良いからである。
また、第１の実施例に比べると、ｄに対応する球体２は削除され、ｈに対応する球体２は土踏まず部分（図中の点線内）のｈ２に移動させているが、球体２が多いとかえって履き心地が悪くなり、かつ、靴等の履き物は軽いことが要求されるが重くなってしまうので、ツボ刺激箇所は少なくなるが、履き心地と重量を改善したものである。
他の構成は、実施例１から３と同じであるので、説明は省略する。
【００１１】
［実施例５］
図７に示す第５の実施例の中敷１は、第４の実施例における爪先近傍のａ２，ｂ２，ｃ２の箇所、及び、ｅ２の箇所を、従来知られた非回転の固定型の刺激突起群ａ３，ｂ３，ｃ３および刺激突起ｄ３，ｅ３としたものであり、土踏まず部分（図中の点線内）のｆ３，ｇ３，ｈ３および踵部分のｉ３は、実施例４と同様に比較的大きな直径１５ｍｍ程度の回転球体２で回転摩擦が比較的小さな球体受部３（４，５）を設けたものであり、いわば回転球体２と固定突起との併用である。
これは、実施例４と同様に、爪先近傍が回転しやすい球体２であると、履き心地が悪いのと、逆に、土踏まずの部分の刺激は大きいほうが履き心地が良いからであり、非回転の固定型の刺激突起群ａ３，ｂ３，ｃ３および刺激突起ｅ３とすることにより、制作が容易となる外に、履き心地と重量を改善したものである。
なお、刺激突起群ａ３，ｂ３，ｃ３は、比較的小さな複数の固定突起から構成され、刺激突起ｄ３，ｅ３はやや大きい単独の固定突起から構成されており、刺激と履き心地のバランスを計ったものである。
他の構成は、実施例１から３と同じであるので、説明は省略する。
【００１２】
なお、本発明の特徴を損なうものでなければ、前述した実施例に限定しないことは勿論であり、各実施例では、本発明の足裏支持面として靴の中敷に使用したものを説明したが、中敷き以外の靴の足裏の支持面（内底）、および、サンダルの足裏の支持面に用いてもよいことは勿論である。
【００１３】
【発明の効果】
請求項１の発明によれば、履き物の足裏に接する足裏支持面において、足裏のツボに対応する位置に複数の球体を設け、該球体はツボに対応する位置に設けた球体受部によって回転自在に支持され、球体の上部が履き物の足裏支持面よりわずかに突出したので、球体が回転することにより、足裏に対して上下方向だけではなく、足裏に多様な刺激が与えられ、且つ、確実にツボを刺激して履き心地を高めることのできる履き物が得られるという効果がある。
請求項２の発明によれば、請求項１に記載の履き物において、球体は銅製としたから、請求項１の効果に加えて、銅の球体にはツボを刺激すると同時に抗菌作用があり、より衛生的な履き物になるという効果がある。
【図面の簡単な説明】
【図１】本発明を靴の中敷に適用した第１の実施例の平面図である。
【図２】第１の実施例の図１における（２）−（２）線での断面図である。
【図３】第１の実施例の図２における球体受部の拡大断面である。
【図４】本発明の第２の実施例における球体受部の拡大断面である。
【図５】本発明の第３の実施例における球体受部の拡大断面である。
【図６】本発明を靴の中敷に適用した第４の実施例の平面図である。
【図７】本発明を靴の中敷に適用した第５の実施例の平面図である。
【符号の説明】
Ａ…靴、ａ３，ｂ３，ｃ３…固定刺激突起群、ｄ３，ｅ３…固定刺激突起
１…中敷、１１…中敷本体、１２…中敷上層、１３…中敷下層、１４…凹部、
２…球体、
３…球体受部、３１…ボウル状基盤、３２…突起、
４…球体受部　４１…ステンレス網　４２…ワッシャー
５…球体受部　５１…凸凹部　５２…縁部
【図１】
2004097401.tif 000002
【図２】
2004097401.tif 000003
【図３】
2004097401.tif 000004
【図４】
2004097401.tif 000005
【図５】
2004097401.tif 000006
【図６】
2004097401.tif 000007
【図７】
2004097401.tif 000008